(57)【特許請求の範囲】
【請求項１】
コンタクトを有するインサートの外周を導電性のハウジングで覆い、インサートの後部でハウジングの内側に先端がインサートに当接するチャックを挿入し、前記ハウジングの後端に取り付けられたブッシングの内周部で前記チャックの後端を押さえ前記チャックの後端部でケーブルを銜えてホールドするように構成されたＸＳＲケーブルコネクタにおいて、
前記ケーブルの外部導体である筒状の編組線またはこれに接続された筒状の編組線を、前記ケーブルの外部被覆と前記チャックの後端部の間を通過して前記チャックの内側から外側に延設して前記チャックの外周面の上に折り返すとともに、前記チャックの外周面と前記ハウジングの後端に螺合するブッシングの内周部との当接部の間を通過して前記ハウジングの内側で前記チャックの外周面の上に被せて、前記ケーブルの外部被覆から引き出されて前記インサートのコンタクトに接続された電線の周囲を包んでシールドするように配置した
ＸＳＲケーブルコネクタ。
【請求項２】
チャックの外周面の上に被せられた前記編組線の外周に導電性テープを巻回し、前記導電性テープを前記ハウジングの内周面に接触させた
請求項１記載のＸＳＲケーブルコネクタ。
【請求項３】
前記ケーブルが、外部導体を２重編組線で構成したケーブルであって、外側の外部導体編組線を前記チャックの内側から外側に延設して前記チャックの外周部に折り返した
請求項１または請求項２記載のＸＳＲケーブルコネクタ。
【発明の詳細な説明】
【０００１】
【発明の属する技術分野】
本発明は、業務用のオーディオ分野で一般に使用されているＸＳＲケーブルコネクタに関するものである。
【０００２】
【従来の技術】
一般的なＸＳＲケーブルコネクタは図６と図７に示すように構成されている。
ここではＸＳＲケーブルコネクタ雄を例に挙げて説明する。
【０００３】
ケーブル１は外部導体２でシールドされた２芯の電線３Ｌ，３Ｒを有しており、外部導体２の外側は外部被覆４で保護されている。ＸＳＲケーブルコネクタの組み立ては、インサート５の雄コンタクト６ａ，６ｂに電線３Ｌ，３Ｒを半田付けし、インサート５の雄コンタクト６ｃと板ばね電極６ｄに外部導体２を半田付けし、このインサート５を導電性金属製のハウジング８の後方から挿入する。
【０００４】
このとき、インサート５の後部に絶縁性樹脂製のチャック９が被せられている。チャック９の側面には割り９ａが形成され、後端にはテーパー部９ｂが形成されている。
【０００５】
更に、チャック９の後方に挿入した絶縁性樹脂製のブッシング１０の雌ねじ部１０ａをハウジング８の雄ねじ部８ａに螺合させる。
これによって、チャック９は先端がインサート５に当接し、チャック９の後端のテーパー部９ｂは図７に示すようにブッシング１０の内周面１０ｂで押されて、チャック９の後端部９ｃがケーブル１の外部被覆４を銜えてホールドするように構成されている。
【０００６】
【発明が解決しようとする課題】
この従来の構成では、図７に示す組み立て状態に示すように、ハウジング８はこのハウジング８の内周の一部に接触する前記板ばね電極６ｄを介してケーブル１の外部導体２に接続されており、インサート５の後方は、板ばね電極６ｄを介してケーブル１の外部導体２に接続されたハウジング８の後部によって囲まれている。
【０００７】
しかし、最近のオーディオ・ビデオシステムの高品質化に伴う取り扱い信号の高周波化によって、ＸＳＲケーブルコネクタにも高周波特性の向上が要求されているのが現状である。
【０００８】
具体例として、ベースバンド信号が６ＭＨｚ（６Ｍｂｐｓ）のデジタル信号をＸＳＲケーブルコネクタを介して授受する場合を例に挙げて説明する。
この取り扱い周波数で図７の組み立て状態を考察すると、インサート５の後方の前記ハウジング８によるシールド効果が不十分であって、この部分から外部に不要信号Ｓ１が漏洩する問題がある。
【０００９】
さらに、不要信号Ｓ１の周波数成分について検討すると、高次高調波の漏洩が目立っている。これは、ハウジング８における確実な接地点は板ばね電極６ｄとの当接箇所Ｐ１だけであって、高次高調波から見たハウジング８の後部Ａは、前記当接箇所Ｐ１で接地されたアンテナと等価な状態にいてハウジング８の側面からも不要信号Ｓ１が輻射されていると考えられる。
【００１０】
本発明は上記問題を解決するもので、ベースバンド信号のハイバンド化に対応できる高周波特性の良好なＸＳＲケーブルコネクタを提供することを目的とする。
【００１１】
【課題を解決するための手段】
本発明の請求項１記載のＸＳＲケーブルコネクタは、コンタクトを有するインサートの外周を導電性のハウジングで覆い、インサートの後部でハウジングの内側に先端がインサートに当接するチャックを挿入し、前記ハウジングの後端に取り付けられたブッシングの内周部で前記チャックの後端を押さえ前記チャックの後端部でケーブルを銜えてホールドするように構成されたＸＳＲケーブルコネクタにおいて、前記ケーブルの外部導体である筒状の編組線またはこれに接続された筒状の編組線を、前記ケーブルの外部被覆と前記チャックの後端部の間を通過して前記チャックの内側から外側に延設して前記チャックの外周面の上に折り返すとともに、前記チャックの外周面と前記ハウジングの後端に螺合するブッシングの内周部との当接部の間を通過して前記ハウジングの内側で前記チャックの外周面の上に被せて、前記ケーブルの外部被覆から引き出されて前記インサートのコンタクトに接続された電線の周囲を包んでシールドするように配置したことを特徴とする。
【００１２】
本発明の請求項２記載のＸＳＲケーブルコネクタは、請求項１において、チャックの外周面の上に被せられた前記編組線の外周に導電性テープを巻回し、前記導電性テープを前記ハウジングの内周面に接触させたことを特徴とする。
【００１４】
本発明の請求項３記載のＸＳＲケーブルコネクタは、請求項１または請求項２において、前記ケーブルが、外部導体を２重編組線で構成したケーブルであって、外側の外部導体編組線を前記チャックの内側から外側に延設して前記チャックの外周部に折り返したことを特徴とする。
【００１７】
【発明の実施の形態】
以下、本発明の各実施の形態を図１〜図５に基づいて説明する。
なお、従来例を示す図６，図７と同様の作用をなすものには同一の符号を付けて説明する。
【００１８】
（実施の形態１）
図１と図２は本発明の（実施の形態１）を示す。
この（実施の形態１）では、ケーブル１としては従来例で示したものと同じように外部導体が１重の編組線のケーブルが使用されている。
【００１９】
先ず、図１と図２（ａ）（ｂ）（ｃ）に基づいて説明する。
組み立て工程は、図２（ａ）に示すように、先ず、従来と同じようにケーブル１をインサート５に半田付けした後に、ケーブル１とは別の編組線１１を被せる。
【００２０】
次に、図２（ｂ）に示すように、編組線１１の先端をケーブル１の外部導体２に半田付けする。このときには、スズメッキ線１２などで結束した上で半田付けする。
【００２１】
そして、図２（ｃ）に示すように、インサート５の後部にチャック９を取り付け、編組線１１を図１に示すようにケーブル１の外部被覆４とチャック９の後端部９ｃの間を通過してチャック９の内側から外側に引き出しておく。
【００２２】
引き出された編組線１１は図１に示すようにチャック９の外周面に折り返された上で、折り返された編組線１１がチャック９の外周面とハウジング８の内周面との間に介在するように、インサート５と共にハウジング８に挿入し、ハウジング８にブッシング１０を螺合させて組み立てが完了する。ここで、ハウジング８とチャック９との間の隙間は僅かであるため、その部分に編組線１１が介在することによって、介在した編組線１１はチャック９の外周面とハウジング８の内周面とで挟まれて編組線１１がハウジング８の内周面に全周にわたって圧接する。
【００２３】
この構成によると、編組線１１を介してハウジング８の内周面でインサート５を取り囲むように導通するので、インサート５の後部がケーブル１の外部導体２に半田付けされた編組線１１によって従来よりも確実にシールドされる。
【００２４】
ここで高次高調波の不要輻射の低減について重要な点は、ケーブル１の外部導体２は、ハウジング８に板ばね電極６ｄとの当接箇所Ｐ１だけで接続されるだけでなく、編組線１１を介してハウジング８の内周面に面で接触して導通している点であって、ハウジング８を高周波的に外部導体２と同電位にすることができ、ハウジング８の側面からの高次高調波の不要輻射を従来に比べて飛躍的に改善できる。
【００２５】
なお、インサート５をハウジング８に挿入する際の作業性と更なる不要輻射の低減を目的とする場合には、ハウジング８への挿入に際して、チャック９の外周面に折り返された編組線１１の上に、図２（ｄ）に示すように片面に粘着剤層が付いた導電性テープ１３を導通面を外側にして巻き付け、巻き付けた導電性テープ１３の端部の導通面と編組線１１とを半田付け１４などで導通させて、ハウジング８に挿入したときに編組線１１が捲れ上がらないように仮止めした状態でインサート５をハウジング８に挿入する。
【００２６】
この場合には、ケーブル１の外部導体２が編組線１１と導電性テープ１３を介してハウジング８の内周面に導通して同様の高周波性能が得られる。
上記の実施の形態の導電性テープ１３の例では、導電性テープの導通面と編組線１１は導電性テープ１３の粘着剤層を介して接触していて導通が得られなかったために巻き付けた導電性テープ１３の端部の導通面と編組線１１とを半田付け１４などで導通させたが、粘着剤層に導電性の粒子を混ぜた導電性テープを使用することによって前記半田付け１４を不要にでき、高周波性能の更なる改善を期待できる。
【００２７】
（実施の形態２）
図３と図４は本発明の（実施の形態２）を示す。
この（実施の形態２）ではケーブル１として外部導体が２重編組線で構成されたケーブルを使用しているだけが（実施の形態１）とは異なっている。
【００２８】
具体的には、ケーブル１は図４（ａ）に示すように内側の外部導体２ａと外側の外部導体２ｂとで構成されており、外部導体２ａはインサート５の雄コンタクト６ｃと板ばね電極６ｄに半田付けし、外部導体２ｂを外部被覆４の上に重なるように後部に折り返す。
【００２９】
そして図４（ｂ）（ｃ）に示すように、インサート５の後部にチャック９を取り付け、外部導体２ｂを図３に示すようにチャック９の外周面に折り返された上で、折り返された外部導体２ｂがチャック９の外周面とハウジング８の内周面との間に介在するように、インサート５と共にハウジング８に挿入し、ハウジング８にブッシング１０を螺合させて組み立てが完了する。ここで、ハウジング８とチャック９との間の隙間は僅かであるため、その部分に外部導体２ｂが介在することによって、介在した外部導体２ｂはチャック９の外周面とハウジング８の内周面とで挟まれて外部導体２ｂがハウジング８の内周面に全周にわたって圧接する。
【００３０】
この構成によると、外部導体２ｂを介してハウジング８の内周面でインサート５を取り囲むように導通するので、インサート５の後部がケーブル１の外部導体２ｂによって従来よりも確実にシールドされる。
【００３１】
ここで高次高調波の不要輻射の低減について重要な点は、ケーブル１の外部導体２は、ハウジング８に板ばね電極６ｄとの当接箇所Ｐ１だけで接続されるだけでなく、外部導体２ｂを介してハウジング８の内周面に導通している点であって、ハウジング８を高周波的に外部導体２と同電位にすることができ、ハウジング８の側面からの高次高調波の不要輻射を従来に比べて飛躍的に改善できる。
【００３２】
なお、インサート５をハウジング８に挿入する際の作業性と更なる不要輻射の低減を目的とする場合には、ハウジング８への挿入に際して、チャック９の外周面に折り返された外部導体２ｂの上に、図４（ｄ）に示すように片面に粘着剤層が付いた導電性テープ１３を導通面を外側にして巻き付け、巻き付けた導電性テープの端部の導通面と外部導体２ｂとを半田付け１４などで導通させて、ハウジング８に挿入したときに外部導体２ｂが捲れ上がらないように仮止めした状態でインサート５をハウジング８に挿入する。
【００３３】
この場合には、ケーブル１の外部導体２が外部導体２ｂと導電性テープ１３を介してハウジング８の内周面に導通して同様の高周波性能が得られる。
上記の実施の形態の導電性テープ１３の例では、導電性テープの導通面と外部導体２ｂとは導電性テープ１３の粘着剤層を介して接触していて導通が得られなかったために巻き付けた導電性テープの端部の導通面と外部導体２ｂとを半田付け１４などで導通させたが、粘着剤層に導電性の粒子を混ぜた導電性テープを使用することによって前記半田付けを不要にでき、高周波性能の更なる改善を期待できる。
【００３４】
（実施の形態３）
図５は本発明の（実施の形態３）を示す。
上記の（実施の形態２）のチャック９は従来と同じく絶縁性樹脂製であったが、この（実施の形態３）では導電性材料から形成されており、チャック９の内側から外側に引き出された外部導体２ｂはケーブル１の外部被覆４とチャック９の後端部９ｃとで挟まれているだけで、チャック９の外周部に折り返されてはいない。
【００３５】
なお、チャック９の径は（実施の形態２）のそれよりも若干は太く成形されており、インサート５とともにハウジング８に挿入した状態でチャック９がハウジング８の内周部に全周にわたって圧接する。また、ブッシング１０をハウジング８に取り付けることによって、チャック９の後端部９ｃが外部導体２ｂを介してケーブル１の外部被覆４を銜えてホールドするので、導電性材料のチャック９と外部導体２ｂとの導通は確実なものとなり、ケーブル１の外部導体２ａは外部導体２ｂとチャック９を介してハウジング８の内周部に導通して、（実施の形態２）と同様の高周波性能を得ることができる。
【００３６】
この（実施の形態３）ではチャック９の全体を導電性材料で形成したが、（実施の形態２）の絶縁性樹脂製のチャック９の外周面と後端部９ｃの内面から前記外周面に連続した導電性メッキ膜を形成し、ケーブル１の外部導体２ａが、外部導体２ｂとチャック９に形成された前記導電性メッキ膜を介してハウジング８の内周部に導通するように構成しても（実施の形態２）と同様の高周波性能を得ることができる。
【００３７】
この（実施の形態３）の各実施の形態では、チャック９の径を（実施の形態２）のそれよりも若干は太く成形して、インサート５とともにハウジング８に挿入した状態でチャック９がハウジング８の内周部に全周にわたって圧接するように構成したが、チャック９の径を（実施の形態２）のそれと同じにし、チャック９の外周に（実施の形態２）で使用した導電性テープを巻回して、導電性テープを介してチャック９の外周をハウジング８の内周部に全周にわたって圧接するように構成することもできる。また、このように導電性テープをチャック９の外周に巻回する場合に、図４（ｄ）に示した場合と同様に、チャック９の上に折り返した外部導体２ｂの上に導電性テープを巻回しても同様の効果を期待できる。また、外部導体２ｂをチャック９の上に折り返さずにチャック９の上に導電性テープを巻回しても同様の効果を期待できる。
【００３８】
また、この（実施の形態３）においてはケーブル１として外部導体が２重編組線のケーブルを使用したが、（実施の形態１）のように外部導体が一重の編組線のケーブル１と編組線１１との組み合わせの場合でも同様に実施できる。
【００３９】
なお、上記の各実施の形態では、ＸＳＲケーブルコネクタ雄を例に挙げて説明したが、ＸＳＲケーブルコネクタ雌の場合も同様である。
【００４０】
【発明の効果】
以上のように本発明のＸＳＲケーブルコネクタによれば、ケーブルの外部導体またはこれに接続された導体を、ケーブルの外部被覆とチャックの後端部の間を通過して前記チャックの内側から外側に延設して前記チャックの外周面とハウジングの内周面との間に介装して前記ハウジングに接触させたため、ケーブルの外部導体はハウジング８に一点ではなく内周面に面で接触して導通しており、ハウジングを高周波的に外部導体と同電位にすることができ、ハウジングの側面からの高次高調波の不要輻射を従来に比べて飛躍的に改善できるものである。
【図面の簡単な説明】
【図１】本発明の（実施の形態１）のＸＳＲケーブルコネクタ雄の組立状態の断面図
【図２】同実施の形態の組立工程を示す斜視図
【図３】本発明の（実施の形態２）のＸＳＲケーブルコネクタ雄の組立状態の断面図
【図４】同実施の形態の組立工程を示す斜視図
【図５】本発明の（実施の形態３）のＸＳＲケーブルコネクタ雄の組立状態の断面図
【図６】従来のＸＳＲケーブルコネクタ雄の分解斜視図
【図７】同従来例の組立状態の断面図
【符号の説明】
１    ケーブル
２    外部導体
２ａ    内側の外部導体
２ｂ    外側の外部導体
３Ｌ，３Ｒ    電線
４    外部被覆
５    インサート
６ａ，６ｂ，６ｃ    雄コンタクト
６ｄ    板ばね電極
８    ハウジング
９    チャック
９ｂ    テーパー部
９ｃ    後端部
１０      ブッシング
１０ａ      雌ねじ部
１０ｂ      内周面
１１      編組線
１２      スズメッキ線
１３      導電性テープ
１４      半田付け
Ａ      ハウジング８の後部
Ｓ１      不要信号
【図１】
0003604314.tif 000002
【図２】
0003604314.tif 000003
【図３】
0003604314.tif 000004
【図４】
0003604314.tif 000005
【図５】
0003604314.tif 000006
【図６】
0003604314.tif 000007
【図７】
0003604314.tif 000008